(57)【要約】      （修正有）【課題】除塵範囲を限定させることなく除塵すると共に低コストに除塵性能を維持できるスティック型クリーナを提供する。【解決手段】クリーナ１は、スティック型クリーナであって、弾性変形可能な棒状のクリーナ本体２と、この本体２の一端に設けられる粘着性並びに弾性変形可能な先細りのテーパ状部材３と、この部材３に装着脱可能な防塵キャップ４とからなる。【選択図】図１
0003187330.tif 000002
【実用新案登録請求の範囲】
【請求項１】
弾性変形可能な棒状のクリーナ本体と、
このクリーナ本体の一端に設けられる粘着性並びに弾性変形可能な先細りのテーパ状部材と、
この部材に装着脱可能な防塵キャップと
とからなること
を特徴とするスティック型クリーナ。
【考案の詳細な説明】
【技術分野】
【０００１】
本考案は、カメラ、携帯電話、半導体素子等の精密機器の製造最終過程において、精密機器の不具合の原因となる塵埃を除去するための清掃具に関する。
【背景技術】
【０００２】
精密機器の製造最終段階、例えば、カメラの製造最終過程では、レンズの表面に接触させた不織布に工業用綿棒を宛がい、この綿棒を当該レンズの外周に沿うように移動させることで、レンズ表面の塵埃を除去している（特許文献１）。
【先行技術文献】
【特許文献】
【０００３】
【特許文献１】特開２００１−３０５７００
【考案の概要】
【考案が解決しようとする課題】
【０００４】
不織布、工業用綿棒は使用時に発塵することがあるので、不織布、工業用綿棒の代わりに、スティック型のクリーナが用いられることがある。このクリーナは棒状のクリーナ本体の一端に樹脂からなる粘着性の球状部材を備える。本クリーナによれば、レンズ表面の塵埃に当該クリーナの球状部材を接触させると、この球状部材に塵埃が付着するので、発塵することなく、塵埃の除去が可能となる。
【０００５】
従来のスティック型のクリーナは先端部分の球状部材が粘着性を有するので保管に際して包装する必要がある。また、球状部材が清掃作業台に触れないように清掃作業直前までクリーナを包装材に収納しておく必要がある。球状部材に埃が触れると、この部材の粘着性が薄れ、クリーナの性能寿命が短縮するからである。
【０００６】
また、従来のクリーナは除塵機能を有する先端部が球状を成しているので被清掃部位が限定されたものとなっている。球状部材を交換可能にすると、形状の異なる球状部材を任意に選択できるので、多様な被清掃部位に対応でき除塵性能も維持できるが、複数の球状部材を準備する必要があり、結果的にクリーナの材料コストの高騰を招く。
【０００７】
本考案は、上記の事情に鑑みなされたもので、多様な被清掃部位に柔軟に対応できると共に性能寿命を低コストに維持できるクリーナの提供を課題とする。
【課題を解決するための手段】
【０００８】
そこで、本考案のスティック型クリーナは、弾性変形可能な棒状のクリーナ本体と、このクリーナ本体の一端に設けられる粘着性並びに弾性変形可能な先細りのテーパ状部材と、この部材に装着脱可能な防塵キャップとからなる。
【０００９】
本考案のクリーナは、粘着性並びに弾性変形可能な先細りのテーパ状部材を有しているので、多様な被清掃部位に柔軟に対応できる。また、前記テーパ状部材は防塵キャップが装着可能であるので、包装材を要せずに除塵機能を維持できる。
【考案の効果】
【００１０】
したがって、以上の考案によれば多様な被清掃部位に柔軟に対応できると共にクリーナの性能寿命を低コストに維持できる。
【図面の簡単な説明】
【００１１】
【図１】（ａ）本考案の一実施形態であるクリーナの構成を示した平面図、（ｂ）防塵キャップが取り外されたクリーナの平面図。
【考案を実施するための形態】
【００１２】
以下、本考案の実施形態について図面を参照しながら説明する。
【００１３】
図１に例示されたクリーナ１は、スティック型クリーナであって、弾性変形可能な棒状のクリーナ本体２と、この本体２の一端に設けられる粘着性並びに弾性変形可能な先細りのテーパ状部材３と、この部材３に装着脱可能な防塵キャップ４とからなる。
【００１４】
クリーナ本体２は耐薬品性並びに弾性変形可能なチューブ状の部材からなる。当該部材の構成材料としてはＰＰ（ポリプロピレン）に例示される耐薬品性、加工性に優れた熱可塑性樹脂が適用される。
【００１５】
テーパ状部材３はクリーナ本体２の一端から径または厚みが先細りしたテーパ形状を成す。図示されたテーパ状部材３は円錐状に形成されている。テーパ状部材３は、図１（ｂ）に示したように、自己粘着性、反発弾性を有する樹脂がクリーナ本体２の一端部に充填され、この端部の開口部から露出した当該樹脂の一部が円錐状に成型されて成る。
【００１６】
前記樹脂にはポリウレタン樹脂に例示される自己粘着性、反発弾性を有する樹脂が適用され、塵埃のみを吸着できるように成分配合が適宜に調節される。尚、前記樹脂は可塑剤を含有させないようにすることで被清掃部位への影響（例えば樹脂成分が被清掃部位に付着すること）を抑えている。
【００１７】
防塵キャップ４はテーパ状部材３と嵌合するテーパ状（図示された態様では円錐状）に形成されている。防塵キャップ４はクリーナ本体２と同様の構成材料で成型されて成る。
【００１８】
図１を参照しながら本実施形態のクリーナ１の使用方法について説明する。ここでは製造最終段階のカメラレンズの清掃工程での使用例について説明する。
【００１９】
作業員は、クリーナ１を持ちながら拡大鏡を用いて作業台上のカメラのレンズ表面を観察し、その表面に微細な塵埃を発見すると、図１（ｂ）のようにクリーナ１から防塵キャップ４を取り外す。そして、レンズ表面上の塵埃にクリーナ１のテーパ状部材３の先端を接触させる。テーパ状部材３は粘着性を有するので、この部材３に塵埃が付着する。これによりレンズ表面から塵埃が除去される。
【００２０】
また、レンズ表面に塵埃が比較的広範囲に点在する場合、レンズ表面にテーパ状部材３を押し当てるとテーパ状部材３が弾性変形しながらレンズ表面と面接触するので、前記点在する塵埃を効率的に吸着除去できる。
【００２１】
一方、カメラ基板上の比較的幅狭な部品間に塵埃が入り込んでいる場合、テーパ状部材３を前記部品間に挿入させるとテーパ状部材３、クリーナ本体２が部品間隔に応じて弾性変形するので、前記部品間の塵埃を確実に吸着除去できる。
【００２２】
テーパ状部材３の表面に吸着させた塵埃は別途の粘着シートに転移させれば当該部材３を繰り返し使用できる。
【００２３】
清掃作業が終了すると図１（ａ）に示したようにテーパ状部材３に防塵キャップ４が装着される。
【００２４】
以上説明したように、クリーナ１は、弾性変形可能なクリーナ本体２と、粘着性並びに弾性変形可能なテーパ状部材３とを有しているので、多様な被清掃部位に柔軟に対応できる。
【００２５】
特に、テーパ状部材３を構成する樹脂には可塑剤が含まれていないので被清掃部位への影響を軽減できる。そして、この樹脂は自己粘着性であるので、接着剤、糊等を使用した場合の被清掃部位へ成分移行や、工業用綿棒、不織布を用いた場合の発塵も起こらない。また、この樹脂の成型により、テーパ状部材３がチューブ状のクリーナ本体２の一端に設けられる態様となっているので、クリーナ１の部品点数が最小限に抑えられる。
【００２６】
さらに、テーパ状部材３は清掃作業直前まで防塵キャップ４が装着された状態とすることができるので、クリーナ１の使用直前まで、塵埃の付着を防ぎつつ、初期の除塵性能を維持できる。
【００２７】
また、従来のクリーナは防塵キャップを備えていないため除塵性能を維持するには包装する必要がある。これに対して、クリーナ１は清掃作業開始時に防塵キャップ４を取り外せばよいので、清掃作業の直前で包装材からクリーナを取り出す手間がなくなり、清掃工程の効率化が実現する。
【００２８】
さらに、テーパ状部材３は先細りの構造となっているので、比較的幅狭な部品間に入り込んだ塵埃の除去効果に加えて、防塵キャップ４が外された状態でも他の物品との接触機会が少なくなり、クリーナ１の性能劣化の抑制にも寄与する。
【００２９】
そして、クリーナ１が使用されない間はテーパ状部材３に防塵キャップ４が装着された状態となっているのでクリーナ１の性能寿命を長く保つことができる。特に、包装材が不要であるので、保管、輸送時の包装を簡素化でき、クリーナ１の性能寿命を低コストに維持できる。
【符号の説明】
【００３０】
１…クリーナ（スティック型クリーナ）
２…クリーナ本体
３…テーパ状部材
４…防塵キャップ
【図１】
0003187330.tif 000003